(57)【特許請求の範囲】
【請求項１】
機器本体に着脱可能に取り付けられ、両面に異なる種類の電池を収納可能とし裏返すことによって一方の面に収納された電池を前記機器本体と電気的に接続する電池収納ボックスと、
前記機器本体に設けられ、前記電池収納ボックスを収納するボックス収納部と、
を備えた電子機器において、
前記電池収納ボックスは、
前記電池収納ボックスに凹設され、第１の電池を収納するための第１の電池収納部と、前記第１の電池収納部と反対側の面に凹設され、前記第１の電池と寸法の異なる第２の電池を収納するための第２の電池収納部と、を備え、
前記第１の電池の負極側となる前記第１の電池収納部の壁部に、前記第１の電池の径に応じた大きさの第１の切欠き部を設け、前記第１の切欠き部を通り抜けて、前記第１の電池は前記ボックス収納部の第１の負端子に接続し、
前記第２の電池の負極側となる前記第２の電池収納部の壁部に、前記第２の電池の径に応じた大きさの第２の切欠き部を設け、前記第２の切欠き部を通り抜けて、前記第２の電池は前記ボックス収納部の前記第１の負端子に接続することを特徴とする電子機器。
【請求項２】
機器本体に着脱可能に取り付けられ、異なる種類の電池を収納可能な電池収納ボックスと、
前記機器本体に設けられ、前記電池収納ボックスを収納するボックス収納部と、
を備えた電子機器において、
前記電池収納ボックスは、
前記電池収納ボックスに凹設され、第１の電池を収納するための第１の電池収納部と、前記第１の電池収納部と反対側の面に凹設され、前記第１の電池と寸法の異なる第２の電池を収納するための第２の電池収納部と、を備え、
前記第１の電池の負極側となる前記第１の電池収納部の壁部に、前記第１の電池の径に応じた大きさの第１の切欠き部を設け、前記第１の切欠き部を通り抜けて、前記第１の電池は前記ボックス収納部の第１の負端子に接続し、
前記第２の電池の負極側となる前記第２の電池収納部の壁部に、前記第２の電池の径に応じた大きさの第２の切欠き部を設け、前記第２の切欠き部を通り抜けて、前記第２の電池は前記ボックス収納部の前記第１の負端子に接続し、
前記第１の電池収納部の前記第１の電池の収納用の空間は、前記第２の電池収納部の前記第２の電池の収納用の空間と少なくとも一部の空間を共有していることを特徴とする電子機器。
【請求項３】
前記電池収納ボックスは、
前記第２の電池収納部が凹設された面と同じ面に並んで凹設され、前記第１の電池および前記第２の電池と径が異なる第３の電池を収納するための第３の電池収納部を備え、
前記第３の電池の負極側となる前記第３の電池収納部の壁部に、前記第３の電池の径に応じた大きさの第３の切欠き部を設け、前記第３の切欠き部を通り抜けて、前記第３の電池は前記ボックス収納部の第２の負端子に接続し、
前記第３の電池収納部の前記第３の電池の収納用の空間は、前記第２の電池の収納用の空間と少なくとも一部の空間を共有していることを特徴とする請求項１記載の電子機器。
【請求項４】
前記第１および第２の電池用の前記第１の負端子と前記第３の電池用の前記第２の負端子とは、前記ボックス収納部において並んで設けられるとともに、前記第２の負端子の高さ位置は、前記第１の負端子の高さ位置より低く設定されることを特徴とする請求項３記載の電子機器。
【発明の詳細な説明】
【技術分野】
【０００１】
本発明は、様々な種類の電池を収納可能な電池収納ボックスを備えた電子機器に関するものである。
【背景技術】
【０００２】
従来、様々な種類の電池（単一電池、単二電池、単三電池など）を収納可能な装置が知られている（例えば特許文献１参照）。この従来の装置には、二つの収納領域（第一収納領域および第二収納領域）と二つの保持部材（第一保持部材および第二保持部材）が設けられている。
【０００３】
従来の装置において、単一電池を収納する場合には、二つの保持部材を第二収納領域へ移動させて第一収納領域を空けた状態にし、その第一収納領域に単一電池を収納する。また、単二電池を収納する場合には、二つの保持部材を第一収納領域へ移動させて第二収納領域を空けた状態にし、その第二収納領域に単二電池を収納する。そして、単三電池を収納する場合には、二つの保持部材を第一収納領域へ移動させ、第二収納領域に単三電池を収納するとともに、その二つの保持部材を用いて単三電池を保持する。
【先行技術文献】
【特許文献】
【０００４】
【特許文献１】特開２００７−５３０４７号公報
【発明の概要】
【発明が解決しようとする課題】
【０００５】
しかしながら、従来の装置においては、保持部材（第一保持部材および第二保持部材）などの細かい部品点数が多いので、その分だけ部品コストが高くなるという問題があった。また、異なる種類の電池に交換するときには、二つの保持部材を二つの収納領域間で移動させる必要があり、電池を交換する際の作業に手間がかかるという問題があった。特に、単三電池を収納するときには、二つの保持部材によって単三電池を保持する必要があり、電池を収納する際の作業に手間がかかるという問題があった。
【０００６】
本発明は、上記従来の問題を解決するためになされたもので、部品点数が少なく、電池を交換する際の作業性を向上することのできる電子機器を提供することを目的とする。
【課題を解決するための手段】
【０００７】
本発明の電子機器は、機器本体に着脱可能に取り付けられ、両面に異なる種類の電池を収納可能とし裏返すことによって一方の面に収納された電池を前記機器本体と電気的に接続する電池収納ボックスと、前記機器本体に設けられ、前記電池収納ボックスを収納するボックス収納部と、を備えた電子機器において、前記電池収納ボックスは、前記電池収納ボックスに凹設され、第１の電池を収納するための第１の電池収納部と、前記第１の電池収納部と反対側の面に凹設され、前記第１の電池と寸法の異なる第２の電池を収納するための第２の電池収納部と、を備え、前記第１の電池の負極側となる前記第１の電池収納部の壁部に、前記第１の電池の径に応じた大きさの第１の切欠き部を設け、前記第１の切欠き部を通り抜けて、前記第１の電池は前記ボックス収納部の第１の負端子に接続し、前記第２の電池の負極側となる前記第２の電池収納部の壁部に、前記第２の電池の径に応じた大きさの第２の切欠き部を設け、前記第２の切欠き部を通り抜けて、前記第２の電池は前記ボックス収納部の前記第１の負端子に接続する構成を有している。
【０００８】
この構成により、寸法（長さや径）の異なる二つの電池（第１の電池と第２の電池）を収納することができる。また、電池収納ボックスは機器本体から着脱可能であり、第１の電池収納部と第２の電池収納部は電池収納ボックスの互いに反対側の面に形成されている。したがって、異なる電池に交換するときには、電池収納ボックスを機器本体から取り外して反対側に裏返すだけでよく、電池を交換する際の作業性が向上する。また、従来に比べて部品点数が少なくて済む。
【０００９】
さらに、第１の電池収納部に第１の電池を収納すると、第１の切欠き部から突出して負端子に接触するようになり、第２の電池収納部に第２の電池を収納すると、第２の切欠き部から突出して負端子に接触するようになる。これにより、径の異なる電池（第１の電池と第２の電池）に対応することができる。
【００１０】
さらに、第１の切欠き部（第１の電池収納部の負極側の壁部に設けられる）と第２の切欠き部（第２の電池収納部の負極側の壁部に設けられる）が、電池収納ボックスの異なる壁部に設けられる。これにより、電池収納ボックスの構造的な強度が高くなる。
【００１１】
また、本発明の電子機器では、機器本体に着脱可能に取り付けられ、異なる種類の電池を収納可能な電池収納ボックスと、前記機器本体に設けられ、前記電池収納ボックスを収納するボックス収納部と、を備えた電子機器において、前記電池収納ボックスは、前記電池収納ボックスに凹設され、第１の電池を収納するための第１の電池収納部と、前記第１の電池収納部と反対側の面に凹設され、前記第１の電池と寸法の異なる第２の電池を収納するための第２の電池収納部と、を備え、前記第１の電池の負極側となる前記第１の電池収納部の壁部に、前記第１の電池の径に応じた大きさの第１の切欠き部を設け、前記第１の切欠き部を通り抜けて、前記第１の電池は前記ボックス収納部の第１の負端子に接続し、前記第２の電池の負極側となる前記第２の電池収納部の壁部に、前記第２の電池の径に応じた大きさの第２の切欠き部を設け、前記第２の切欠き部を通り抜けて、前記第２の電池は前記ボックス収納部の前記第１の負端子に接続し、前記第１の電池収納部の前記第１の電池の収納用の空間は、前記第２の電池収納部の前記第２の電池の収納用の空間と少なくとも一部の空間を共有している構成を有している。
【００１２】
この構成により、第１の電池と第２の電池を同時に収納しようとすると、その二つの電池が互いに干渉（衝突）する。これにより、異なる種類の電池（第１の電池と第２の電池）を同時に使用するのを防ぐことができる。また、第１の電池収納部と第２の電池収納部で空間を共有することにより、省スペース化や小型化を図ることができる。
【００１３】
また、本発明の電子機器では、前記電池収納ボックスは、前記第２の電池収納部が凹設された面と同じ面に並んで凹設され、前記第１の電池および前記第２の電池と径が異なる第３の電池を収納するための第３の電池収納部を備え、前記第３の電池の負極側となる前記第３の電池収納部の壁部に、前記第３の電池の径に応じた大きさの第３の切欠き部を設け、前記第３の切欠き部を通り抜けて、前記第３の電池は前記ボックス収納部の第２の負端子に接続し、前記第３の電池収納部の前記第３の電池の収納用の空間は、前記第２の電池の収納用の空間と少なくとも一部の空間を共有している構成を有している。
【００１４】
この構成により、寸法（長さや径）の異なる三つの電池（第１の電池と第２の電池と第３の電池）を収納することができる。
【００１６】
さらに、第２の電池と第３の電池を同時に収納しようとすると、その二つの電池が互いに干渉（衝突）する。これにより、異なる種類の電池（第２の電池と第３の電池）を同時に使用するのを防ぐことができる。また、第２の電池収納部と第３の電池収納部で空間を共有することにより、省スペース化や小型化を図ることができる。
【００１７】
また、本発明の電子機器では、前記第１および第２の電池用の前記第１の負端子と前記第３の電池用の前記第２の負端子とは、前記ボックス収納部において並んで設けられるとともに、前記第２の負端子の高さ位置は、前記第１の負端子の高さ位置より低く設定される構成を有している。
【００１８】
この構成により、寸法（長さや径）の異なる三つの電池（第１の電池と第２の電池と第３の電池）を収納することができる。
【発明の効果】
【００１９】
本発明は、第１の電池収納部と第２の電池収納部は電池収納ボックスの互いに反対側の面に形成されるので、異なる電池に交換するときには、電池収納ボックスを機器本体から取り外して反対側に裏返すだけでよく、部品点数が少なく、電池を交換する際の作業性を向上することができるという効果を有する電子機器を提供することができるものである。
【図面の簡単な説明】
【００２０】
【図１】本実施の形態における電子機器と単一電池の分解斜視図
【図２】機器本体と電池収納ボックス（単一電池収納側）の分解斜視図
【図３】単一電池を収納する様子を示す分解斜視図
【図４】単一電池を収納した状態を示す平面図
【図５】単一電池を収納した状態を示す側面図
【図６】本実施の形態における電子機器と単二電池、単三電池の分解斜視図
【図７】機器本体と電池収納ボックス（単二単三電池収納側）の分解斜視図
【図８】単二電池を収納する様子を示す分解斜視図
【図９】単二電池を収納した状態を示す平面図
【図１０】単二電池を収納した状態を示す側面図
【図１１】単三電池を収納する様子を示す分解斜視図
【図１２】単三電池を収納した状態を示す平面図
【図１３】単三電池を収納した状態を示す側面図
【図１４】電池収納ボックス（単一電池と単二電池の干渉）の説明図
【図１５】電池収納ボックス（単二電池と単三電池の干渉）の説明図
【発明を実施するための形態】
【００２１】
以下、本発明の実施の形態の電子機器について、図面を用いて説明する。本実施の形態では、災害時用のラジオ装置等として用いられる電子機器の場合を例示する。
【００２２】
本発明の実施の形態の電子機器の構成を図１〜図１５を用いて説明する。図１は、本実施の形態の電子機器の分解斜視図である。図１に示すように、電子機器１の機器本体２には、電池収納ボックス３を収納するためのボックス収納部４が凹設されており、ボックス収納部４の上側には、収納した電池収納ボックス３を覆うためのカバー５が取り付けられている。この電池収納ボックス３は、異なる種類の電池（単一電池６、単二電池７、単三電池８）を収納可能であり、機器本体２のボックス収納部４に着脱可能に取り付けられている。
【００２３】
ここでは、まず、機器本体２のボックス収容部の構成について、図面を参照して説明する。図２に示すように、ボックス収納部４の側壁（収納した電池の側方の壁部）には、一つの正端子９が設けられている。この正端子９は、三つの電池（単一電池６、単二電池７、単三電池８）で共用される。また、図４に示すように、ボックス収納部４の端側の壁部には、二つの負端子（単一単二用の負端子１０と単三用の負端子１１）が並設されている。これらの負端子１０、１１は、電池の負極側の壁部に設けられているともいえる。
【００２４】
つぎに、電池収納ボックス３の構成について、図面を参照して説明する。図１および図２に示すように、電池収納ボックス３には、単一電池６を収納するための単一電池収納部１２が凹設されている。この例では、単一電池収納部１２に、二つの単一電池６が直列の状態で収納される（図４参照）。また、単一電池収納部１２の上面は、単一電池６の外周形状（円筒形状）に沿った凹形状を有している。
【００２５】
図２に示すように、単一電池収納部１２の一方の壁部（単一電池６の正極側の壁部）には、単一電池６の長さに応じた位置に単一用接続端子１３が設けられている。単一電池収納部１２に収納された単一電池６の正極は、この単一用接続端子１３を介して、ボックス収納部４の正端子９に電気的に接続する。
【００２６】
単一電池収納部１２の他方の壁部（単一電池６の負極側の壁部）には、単一電池６の径に応じた大きさの単一用切欠き部１４が設けられている（図２参照）。図４に示すように、単一電池収納部１２に収納された単一電池６の負極は、この単一用切欠き部１４を通り抜けて外側に突出して、ボックス収納部４の単一単二用の負端子１０に電気的に接続する。
【００２７】
また、図６および図７に示すように、電池収納ボックス３の単一電池収納部１２の反対側の面（裏側の面）には、単二電池７を収納するための単二電池収納部１５と、単三電池８を収納するための単三電池収納部１６が並設されている。この例では、単二電池収納部１５に、二つの単二電池７が直列の状態で収納される（図９参照）。あるいは、単三電池収納部１６に、二つの単三電池８が直列の状態で収納される（図１２参照）。単二電池収納部１５の上面は、単二電池７の外周形状（円筒形状）に沿った凹形状を有しており、また、単三電池収納部１６の上面は、単三電池８の外周形状（円筒形状）に沿った凹形状を有している。さらに、単三電池収納部１６の上部には、収納した単三電池８を上側から押さえるための押さえリブ１７が設けられている。
【００２８】
図７に示すように、単二電池収納部１５の一方の壁部（単二電池７の正極側の壁部）には、単二電池７の長さに応じた位置に単二用接続端子１８が設けられている。単二電池収納部１５に収納された単二電池７の正極は、この単二用接続端子１８を介して、ボックス収納部４の正端子９に電気的に接続する。
【００２９】
単二電池収納部１５の他方の壁部（単二電池７の負極側の壁部）には、単二電池７の径に応じた大きさの単二用切欠き部１９が設けられている（図７参照）。図９に示すように、単二電池収納部１５に収納された単二電池７の負極は、この単二用切欠き部１９を通り抜けて突出して、ボックス収納部４の単一単二用の負端子１０に電気的に接続する。
【００３０】
また、図７に示すように、単三電池収納部１６の一方の壁部（単三電池８の正極側の壁部）には、単三電池８の長さに応じた位置に単三用接続端子２０が設けられている。単三電池収納部１６に収納された単三電池８の正極は、この単三用接続端子２０を介して、ボックス収納部４の正端子９に電気的に接続する。
【００３１】
単三電池収納部１６の他方の壁部（単三電池８の負極側の壁部）には、単三電池８の径に応じた大きさの単三用切欠き部２１が設けられている（図７参照）。図１２に示すように、単三電池収納部１６に収納された単三電池８の負極は、この単三用切欠き部２１を通り抜けて突出して、ボックス収納部４の単三用の負端子１１に電気的に接続する。
【００３２】
この電池収納ボックス３では、単一電池収納部１２の負極側の壁部（単一電池６の負極側の壁部）は、単二電池収納部１５の正極側の壁部（単二電池７の正極側の壁部）と共通であり、単一電池収納部１２の正極側の壁部（単一電池６の正極側の壁部）は、単二電池収納部１５の負極側の壁部（単二電池７の負極側の壁部）と共通である。つまり、単一用切欠き部１４（単一電池収納部１２の負極側の壁部に設けられる）と単二用切欠き部１９（単二電池収納部１５の負極側の壁部に設けられる）は、互いに反対側の壁部（対向する壁部）に設けられている（図１参照）。
【００３３】
また、図１４に示すように、単一電池収納部１２の単一電池収納用の空間は、単二電池収納部１５の単二電池収納用の空間と一部の空間を共有している。つまり、単一電池収納部１２の単一電池収納用の空間と単二電池収納部１５の単二電池収納用の空間とが、互いに一部重複しているともいえる。この場合、単一電池収納部１２の中心と単二電池収納部１５の中心は、縦方向（図１４の上下方向）で同じ位置に設定されており、一つの負端子（単一単二用の負端子１０）を共用できるように構成されている。
【００３４】
また、図１５に示すように、単二電池収納部１５の単二電池収納用の空間は、単三電池収納部１６の単三電池収納用の空間と一部の空間を共有している。つまり、単二電池収納部１５の単二電池収納用の空間と単三電池収納部１６の単二電池収納用の空間とが、互いに一部重複しているともいえる。この場合、単三電池用の負端子１１の高さ位置は、単一単二用の負端子１０の高さ位置よりもレベル差Ｌだけ低く設定されており、その分、単三電池収納部１６の上面の凹形状の中心角は大きく設定されている。
【００３５】
以上のように構成された電子機器１について、図１〜図１３を用いてその動作を説明する。
【００３６】
ここでは、まず、図１〜図５を参照して、単一電池６を収納するときの動作について説明する。単一電池６を収納するときには、図２に示すように、単一電池収納部１２を上側に向けて、電池収納ボックス３を機器本体２のボックス収納部４に収納する。そして、図３に示すように、電池収納ボックス３の単一電池収納部１２に、二つの単一電池６を直列の状態で収納する（図４参照）。単一電池収納部１２に収納された状態では、単一電池６の負極は、電池収納ボックス３の単一用切欠き部１４から突出して、ボックス収納部４の単一単二用の負端子１０に直接接続する。また、単一電池６の正極は、電池収納ボックス３の単一用接続端子１３に接続し、この単一用接続端子１３を介してボックス収納部４の正端子９に電気的に接続する。
【００３７】
つぎに、図６〜図１０を参照して、単二電池７を収納するときの動作について説明する。単二電池７を収納するときには、図７に示すように、単二電池収納部１５を上側に向けて、電池収納ボックス３を機器本体２のボックス収納部４に収納する。単一電池６から単二電池７に交換するときには、電池収納ボックス３を裏返して収納する。そして、図８に示すように、電池収納ボックス３の単二電池収納部１５に、二つの単二電池７を直列の状態で収納する（図９参照）。単二電池収納部１５に収納された状態では、単二電池７の負極は、電池収納ボックス３の単二用切欠き部１９から突出して、ボックス収納部４の単一単二用の負端子１０に直接接続する。また、単二電池７の正極は、電池収納ボックス３の単二用接続端子１８に接続し、この単二用接続端子１８を介してボックス収納部４の正端子９に電気的に接続する。
【００３８】
つぎに、図１１〜図１３を参照して、単三電池８を収納するときの動作について説明する。単三電池８を収納するときには、単三電池収納部１６を上側に向けて、電池収納ボックス３を機器本体２のボックス収納部４に収納する。単二電池７から単三電池８に交換するときには、電池収納ボックス３はそのままでよい。そして、図１１に示すように、電池収納ボックス３の単三電池収納部１６に、二つの単三電池８を直列の状態で収納する（図１２参照）。単三電池収納部１６に収納された状態では、単三電池８の負極は、電池収納ボックス３の単三用切欠き部２１から突出して、ボックス収納部４の単三用の負端子１１に直接接続する。また、単三電池８の正極は、電池収納ボックス３の単三用接続端子２０に接続し、この単三用接続端子２０を介してボックス収納部４の正端子９に電気的に接続する。
【００３９】
このような本発明の実施の形態の電子機器１によれば、電池収納ボックス３の単一用接続端子１３と単二用接続端子１８の位置を単一電池６と単二電池７の長さに応じて設定することにより、部品点数を低減することができ、電池を交換する際の作業性を向上することができる。
【００４０】
すなわち、本実施の形態では、一つの電池収納ボックス３で、寸法（長さや径）の異なる二つの電池（単一電池６と単二電池７）を収納することができる。この場合、機器本体２のボックス収納部４の側方の壁部に正端子９が設けられ、電池収納ボックス３の単一用接続端子１３と単二用接続端子１８の位置が、それぞれ単一電池６と単二電池７の長さに応じて設定されている。これにより、長さの異なる電池（単一電池６と単二電池７）に容易に対応することができる。また、電池収納ボックス３は機器本体２から着脱可能であり、単一電池収納部１２と単二電池収納部１５は電池収納ボックス３の互いに反対側の面（裏側の面）に形成されている。したがって、異なる電池に交換するときには、電池収納ボックス３を機器本体２から取り外して反対側に裏返すだけでよく、電池を交換する際の作業性が向上する。また、従来に比べて部品点数が少なくて済む。
【００４１】
また、本実施の形態では、単一電池収納部１２に単一電池６を収納すると、単一用切欠き部１４から突出して負端子１０に接触するようになり、単二電池収納部１５に単二電池７を収納すると、単二用切欠き部１９から突出して負端子１１に接触するようになる。これにより、径の異なる電池（単一電池６と単二電池７）に対応することができる。
【００４２】
また、本実施の形態では、単一用切欠き部１４（単一電池収納部１２の負極側の壁部に設けられる）と単二用切欠き部１９（単二電池収納部１５の負極側の壁部に設けられる）が、電池収納ボックス３の異なる壁部に設けられる。これにより、電池収納ボックス３の構造的な強度が高くなる。
【００４３】
また、本実施の形態では、単一電池６と単二電池７を同時に収納しようとすると、その二つの電池が互いに干渉（衝突）する。これにより、異なる種類の電池（単一電池６と単二電池７）を同時に使用するのを防ぐことができる。また、単一電池収納部１２と単二電池収納部１５で空間を共有することにより、省スペース化や小型化を図ることができる。
【００４４】
また、本実施の形態では、寸法（長さや径）の異なる三つの電池（単一電池６と単二電池７と単三電池８）を収納することができる。また、この場合、単二電池７と単三電池８を同時に収納しようとすると、その二つの電池が互いに干渉（衝突）する。これにより、異なる種類の電池（単二電池７と単三電池８）を同時に使用するのを防ぐことができる。また、単二電池収納部１５と単三電池収納部１６で空間を共有することにより、省スペース化や小型化を図ることができる。
【００４５】
また、本実施の形態では、単三電池収納部１６の上面の凹形状の中心角が大きく設定され、単三電池収納部１６に単三電池８を収納したときに、単三電池収納部１６の上面の凹形状に単三電池８が包み込まれるようになる。これにより、単三電池収納部１６による単三電池８の保持力を高くすることができる。
【００４６】
以上、本発明の実施の形態を例示により説明したが、本発明の範囲はこれらに限定されるものではなく、請求項に記載された範囲内において目的に応じて変更・変形することが可能である。
【００４７】
例えば、以上の説明では、第１の電池として単一電池、第２の電池として単二電池、第３の電池として単三電池を用いた例について説明したが、本発明の範囲はこれに限定されるものではなく、単四電池や単五電池などの他の種類の電池が用いられてもよい。
【産業上の利用可能性】
【００４８】
以上のように、本発明にかかる電子機器は、部品点数が少なく、電池を交換する際の作業性を向上することができるという効果を有し、災害時用のラジオ装置等として有用である。
【符号の説明】
【００４９】
１  電子機器
２  機器本体
３  電池収納ボックス
４  ボックス収納部
６  単一電池
７  単二電池
８  単三電池
９  正端子
１０  単一単二用の負端子
１１  単三用の負端子
１２  単一電池収納部
１３  単一用接続端子
１４  単一用切欠き部
１５  単二電池収納部
１６  単三電池収納部
１８  単二用接続端子
１９  単二用切欠き部
２０  単三用接続端子
２１  単三用切欠き部
【図１４】
0005615961.tif 000002
【図１５】
0005615961.tif 000003
【図１】
0005615961.tif 000004
【図２】
0005615961.tif 000005
【図３】
0005615961.tif 000006
【図４】
0005615961.tif 000007
【図５】
0005615961.tif 000008
【図６】
0005615961.tif 000009
【図７】
0005615961.tif 000010
【図８】
0005615961.tif 000011
【図９】
0005615961.tif 000012
【図１０】
0005615961.tif 000013
【図１１】
0005615961.tif 000014
【図１２】
0005615961.tif 000015
【図１３】
0005615961.tif 000016